(57)【要約】  発光装置は、発光する複数の面状発光部（２６）と、一体のシート材からなる可撓性の花びら外側シート（２０）とを備える。花びら外側シート（２０）は、複数の面状発光部（２６）をそれぞれ保持する複数の保持部（２１）と、複数の保持部（２１）の間を連結する連結部とを有する。花びら外側シート（２０）が曲げられることによって、複数の面状発光部（２６）が立体的に配置される。このような構成により、簡易な構成により、複数の面状発光部が立体的に配置される発光装置を提供する。
2016042982.tif 000002
【特許請求の範囲】
【請求項１】
発光する複数の面状発光部と、
複数の前記面状発光部をそれぞれ保持する複数の保持部と、複数の前記保持部の間を連結する連結部とを有し、一体のシート材からなる可撓性の第１シート部材とを備え、
前記第１シート部材が曲げられることによって、複数の前記面状発光部が立体的に配置される、発光装置。
【請求項２】
前記面状発光部に対して前記第１シート部材の反対側に配置され、前記第１シート部材とともに前記面状発光部を封止する可撓性の第２シート部材をさらに備える、請求項１に記載の発光装置。
【請求項３】
前記面状発光部は、可撓性を有する、請求項１または２に記載の発光装置。
【請求項４】
前記保持部は、花びら形状を有し、
複数の前記保持部が環状に並んで立設されることにより、花型の照明を構成する、請求項１から３のいずれか１項に記載の発光装置。
【請求項５】
環状に並べられた複数の前記保持部の外周上に設けられ、がく形状を有する第３シート部材をさらに備え、
前記第３シート部材によって、前記第１シート部材が曲げられた形状に保持される、請求項４に記載の発光装置。
【請求項６】
複数の前記面状発光部に電力を供給する電源部をさらに備え、
複数の前記保持部は、環状に並んで立設され、
前記電源部は、複数の前記保持部の中心に設けられる、請求項１から５のいずれか１項に記載の発光装置。
【請求項７】
前記面状発光部は、複数の前記保持部の中心側に位置して電極部を有し、
前記電源部および前記電極部の間を接続する配線をさらに備える、請求項６に記載の発光装置。
【請求項８】
前記第１シート部材を平面状に展開した場合に、複数の前記保持部は、環状または円弧状に並ぶ、請求項１から７のいずれか１項に記載の発光装置。
【発明の詳細な説明】
【技術分野】
【０００１】
この発明は、一般的には、発光装置に関し、より特定的には、立体的に配置される複数の面状発光部を備える発光装置に関する。
【背景技術】
【０００２】
従来の発光装置に関して、たとえば、特開２００８−１８６５９９号公報には、装飾性に優れることにより、良好な演出効果や雰囲気作りを図ることを目的とした、照明装置が開示されている（特許文献１）。【０００３】
特許文献１に開示された照明装置においては、矩形状のメインパネルの各辺にヒンジを介して、複数のサブパネルが回動可能に取り付けられている。メインパネルおよび複数のサブパネルには、その下面に有機ＥＬにより形成された面発光部が取り付けられている。メインパネルに対するサブパネルの設定角度を変えることにより、さらに各面発光部を独立して点灯制御することにより、良好な演出効果や雰囲気作りを図ることができる。
【先行技術文献】
【特許文献】
【０００４】
【特許文献１】特開２００８−１８６５９９号公報
【発明の概要】
【発明が解決しようとする課題】
【０００５】
上述の特許文献１に開示されるように、複数の面状発光部を立体的に配置した発光装置が知られている。このような発光装置においては、複数の面状発光部を簡易な構成で立体的に配置する構造が求められる。【０００６】
そこでこの発明の目的は、上記の課題を解決することであり、簡易な構成により、複数の面状発光部が立体的に配置される発光装置を提供することである。
【課題を解決するための手段】
【０００７】
この発明の一側面に従う発光装置は、発光する複数の面状発光部と、一体のシート材からなる可撓性の第１シート部材とを備える。第１シート部材は、複数の面状発光部をそれぞれ保持する複数の保持部と、複数の保持部の間を連結する連結部とを有する。第１シート部材が曲げられることによって、複数の面状発光部が立体的に配置される。
【発明の効果】
【０００８】
この発明に従えば、簡易な構成により、複数の面状発光部が立体的に配置される発光装置を提供することができる。
【図面の簡単な説明】
【０００９】
【図１】この発明の実施の形態１における発光装置を示す斜視図である。
【図２】図１中の発光装置から、がく（萼）シートを除いた状態を示す斜視図である。
【図３】図２中の花びら部分を示す縦断面図である。
【図４】図１中の発光装置の花びら部分を展開した状態を示す平面図である。
【図５】図４中の花びら部分から花びら内側シートを除いた状態を示す平面図である。
【図６】花びら内側シートを示す平面図である。
【図７】図４中のＶＩＩ−ＶＩＩ線上に沿った面状発光部を示す断面図である。
【図８】この発明の実施の形態２における発光装置の花びら部分を展開した状態を示す平面図である。
【図９】この発明の実施の形態３における発光装置の花びら部分を示す縦断面図である。
【図１０】この発明の実施の形態４における発光装置の保持部を展開した状態を示す平面図である。
【発明を実施するための形態】
【００１０】
この発明の実施の形態について、図面を参照して説明する。なお、以下で参照する図面では、同一またはそれに相当する部材には、同じ番号が付されている。
【００１１】
（実施の形態１）
図１は、この発明の実施の形態１における発光装置を示す斜視図である。図１を参照して、本実施の形態における発光装置１０は、チューリップの外観を模したチューリップ型の照明である。
【００１２】
図２は、図１中の発光装置から、がく（萼）シートを除いた状態を示す斜視図である。図３は、図２中の花びら部分を示す縦断面図である。
【００１３】
図１から図３を参照して、発光装置１０は、花びら外側シート２０と、花びら内側シート３０と、面状発光部２６ｐ，２６ｑ，２６ｒ（以下、特に区別しない場合には、面状発光部２６という）と、がくシート５１ｐ，５１ｑ，５１ｒと、茎パイプ１２と、基台１４と、電源部１６とを有する。
【００１４】
チューリップは、環状に配置される３枚の花びらと、その花びらの外周上に環状に配置される３枚のがくとを有する。発光装置１０においては、互いに重ね合わされた花びら外側シート２０および花びら内側シート３０が、３枚の花びらを形どるように曲げられている。がくシート５１ｐ、がくシート５１ｑおよびがくシート５１ｒは、がく形状を有する。これら３枚の花びらおよび３枚のがくは、茎の形状を形どる茎パイプ１２を介して、基台１４に支持されている。
【００１５】
面状発光部２６は、互いに重ね合わされた花びら外側シート２０および花びら内側シート３０の間に内蔵されている。電源部１６からの電力供給を受けて面状発光部２６が発光することによって、あたかもチューリップの花びらが発光したかのような照明が得られる。
【００１６】
図４は、図１中の発光装置の花びら部分を展開した状態を示す平面図である。図５は、図４中の花びら部分から花びら内側シートを除いた状態を示す平面図である。図６は、花びら内側シートを示す平面図である。
【００１７】
図１から図６を参照して、花びら外側シート２０および花びら内側シート３０は、それぞれ、可撓性を有する一体のシート材から形成されている。花びら外側シート２０および花びら内側シート３０は、樹脂製のシート材から形成されている。材料としては、たとえば、ポリエチレンテレフタレート（ＰＥＴ）、ポリカーボネイト（ＰＣ）、ポリイミド、ポリエチレンナフタレート（ＰＥＮ）、ポリスチレン（ＰＳ）、ポリエーテルサルフォン（ＰＥＳ）、ポリプロピレン（ＰＰ）等が用いられる。
【００１８】
図３中に示されるように、花びら外側シート２０および花びら内側シート３０は、花びら外側シート２０が花びらの外側に配置され、花びら内側シート３０が花びらの内側に配置されるように、互いに重ね合わされている。花びら外側シート２０および花びら内側シート３０のうちの少なくとも花びら外側シート２０は、光透過性を有する。
【００１９】
花びら外側シート２０および花びら内側シート３０の形状について説明すると、まず、花びら外側シート２０は、その構成部位として、保持部２１ｐ，２１ｑ，２１ｒ（以下、特に区別しない場合には、保持部２１という）と、連結部２２とを有する。
【００２０】
図５中に示す花びら外側シート２０を平面状に展開した状態において、保持部２１ｐ、保持部２１ｑおよび保持部２１ｒは、中心軸１０１を中心に環状に並んでいる。保持部２１ｐ、保持部２１ｑおよび保持部２１ｒは、中心軸１０１を中心に等間隔に配置されている。
【００２１】
保持部２１は、花びら形状を有する。保持部２１は、その平面視において、面状発光部２６よりも大きい面積を有する。保持部２１ｐ、保持部２１ｑおよび保持部２１ｒは、それぞれ、面状発光部２６ｐ、面状発光部２６ｑおよび面状発光部２６ｒを保持するように設けられている。保持部２１ｐ、保持部２１ｑおよび保持部２１ｒには、それぞれ、面状発光部２６ｐ、面状発光部２６ｑおよび面状発光部２６ｒが載置されている。
【００２２】
連結部２２は、保持部２１ｐ、保持部２１ｑおよび保持部２１ｒを互いに連結するように設けられている。連結部２２は、周方向に離間した保持部２１ｐ、保持部２１ｑおよび保持部２１ｒを、中心軸１０１側において互いに連結するように設けられている。保持部２１ｐ、保持部２１ｑおよび保持部２１ｒは、連結部２２から放射状に延出している。保持部２１ｐ、保持部２１ｑおよび保持部２１ｒは、連結部２２から半径方向外側の三方に延出する羽根形状を有する。保持部２１は、半径方向外側から半径方向内側に向かうに従って周方向の長さが短くなるくびれ形状を有する。
【００２３】
花びら外側シート２０には、貫通孔２３が形成されている。貫通孔２３は、シート材からなる花びら外側シート２０を貫通するように形成されている。貫通孔２３は、環状に並ぶ保持部２１ｐ、保持部２１ｑおよび保持部２１ｒの中心（中心軸１０１）に重なる位置に形成されている。
【００２４】
花びら内側シート３０は、花びら外側シート２０に対応する形状（保持部２１ｐ，２１ｑ，２１ｒおよび連結部２２に対応する部位を有した形状）を有する。
【００２５】
花びら内側シート３０には、開口部３３が形成されている。開口部３３は、貫通孔２３と重なる位置に形成されている。花びら内側シート３０には、開口部３３を塞ぐように蓋部材３４が設けられている。開口部３３は、発光装置１０の組み立て時に用いられる作業用の孔であり、組み立て完了後に蓋部材３４によって配線４１が隠される。
【００２６】
花びら内側シート３０は、面状発光部２６に対して花びら外側シート２０の反対側に配置されている。花びら外側シート２０と、花びら外側シート２０に重ね合わされた花びら内側シート３０とによって、保持部２１に載置された面状発光部２６が封止されている。このような構成により、面状発光部２６の耐水性および耐候性が維持される。
【００２７】
図７は、図４中のＶＩＩ−ＶＩＩ線上に沿った面状発光部を示す断面図である。図７を参照して、本実施の形態では、面状発光部２６が、有機ＥＬから構成され、全体として曲げ可能なように可撓性を有するように形成されている。面状発光部２６は、発光ダイオード（ＬＥＤ）と拡散板とから構成されてもよいし、冷陰極管等を用いて構成されてもよい。
【００２８】
面状発光部２６は、透明基板７２、陽極（アノード）６５、有機層７３、陰極（カソード）６４、封止部材７１および絶縁層６６を有する。
【００２９】
透明基板７２は、面状発光部２６の発光面側に配置されている。陽極６５、有機層７３および陰極６４は、透明基板７２上に順次積層されている。封止部材７１は、陽極６５、有機層７３および陰極６４からなる積層体を覆うように設けられている。
【００３０】
透明基板７２を構成する部材としては、可撓性を有する透明部材が用いられる。材料としては、たとえば、ポリエチレンテレフタレート（ＰＥＴ）またはポリカーボネイト（ＰＣ）等の光透過性のフィルム基板が用いられる。
【００３１】
光透過性のフィルム基板としては、他にポリイミド、ポリエチレンナフタレート（ＰＥＮ）、ポリスチレン（ＰＳ）、ポリエーテルサルフォン（ＰＥＳ）、ポリプロピレン（ＰＰ）等が用いられる。
【００３２】
陽極６５は、透明性を有する導電膜である。陽極６５を形成するためには、スパッタリング法等によって、ＩＴＯ（Indium  Tin  Oxide：インジウム錫酸化物）等が透明基板７２上に成膜される。陽極６５に用いられる他の材料としては、ポリエチレンジオキシチオフェン（ＰＥＤＯＴ）が用いられる。
【００３３】
有機層７３は、電力が供給されることによって光（可視光）を生成することが可能である。有機層７３は、単層の発光層から構成されてもよく、正孔輸送層、発光層、正孔阻止層および電子輸送層などが順次積層されることによって構成されてもよい。
【００３４】
陰極６４は、たとえば、アルミニウム（Ａｌ）である。陰極６４は、真空蒸着法等によって有機層７３を覆うように形成されている。陰極６４を所定の形状にパターニングするために、真空蒸着の際にはマスクが用いられるとよい。陰極６４の他の材料としては、フッ化リチウム（ＬｉＦ）、ＡｌとＣａとの積層、ＡｌとＬｉＦとの積層、および、ＡｌとＢａとの積層等が用いられる。
【００３５】
陰極６４と陽極６５とが短絡しないように、陰極６４と陽極６５との間には絶縁層６６が設けられている。絶縁層６６は、たとえば、スパッタリング法を用いてＳｉＯ２などが成膜された後、フォトリソグラフィ法等を用いて陽極６５と陰極６４とを互いに絶縁する箇所を覆うように所望のパターンに形成される。
【００３６】
封止部材７１は、絶縁性を有する樹脂から形成される。封止部材７１は、有機層７３を水分等から保護するために形成される。封止部材７１は、陽極６５、有機層７３および陰極６４を透明基板７２上に封止する。なお、陽極６５の一部は、電気的な接続のために封止部材７１から露出している。
【００３７】
封止部材７１には、ＰＥＴ、ＰＥＮ、ＰＳ、ＰＥＳ、ポリイミド等のフィルムに、ＳｉＯ２、ＡＬ２Ｏ３、ＳｉＮｘ等の無機薄膜と柔軟性のあるアクリル樹脂薄膜などを層状に複数層重ね合わせることでガスバリア性を備えたものが用いられる。
【００３８】
陽極６５の封止部材７１から露出している部分（図７中の右側の部分）は、電極部６３（陽極用）を構成する。電極部６３と陽極６５とは互いに同じ材料で構成される。陰極６４の封止部材７１から露出している部分（図７中の左側の部分）は、電極部６２（陰極用）を構成する。電極部６２と陰極６４とは互いに同じ材料で構成される。電極部６３および電極部６２には、はんだ付けまたは銀ペーストを用いて配線４１が取り付けられる。配線４１の取り付け部には、耐水性および耐候性を保つために樹脂剤が塗布されてもよい。
【００３９】
図１から図４を参照して、電源部１６は、面状発光部２６に電力を供給する電源として設けられている。本実施の形態では、電源部１６が、基台１４に収容されている。面状発光部２６ｐ、面状発光部２６ｑおよび面状発光部２６ｒから中心軸１０１に向けて引き出された配線４１は、貫通孔２３および茎パイプ１２を順に通って、電源部１６に接続されている。
【００４０】
複数の面状発光部２６を内蔵した花びら外側シート２０および花びら内側シート３０の積層体は、３枚の花びらを形どった曲面立体形状に曲げられている。
【００４１】
より具体的には、花びら外側シート２０および花びら内側シート３０の積層体は、保持部２１ｐ、保持部２１ｑおよび保持部２１ｒが、中心軸１０１を中心に環状に並んで立設するように曲げられている。花びら外側シート２０および花びら内側シート３０の積層体は、連結部２２と保持部２１との境界（保持部２１の根本部）において、保持部２１が中心軸１０１に沿って立ち上がるように曲げられている。花びら外側シート２０および花びら内側シート３０の積層体は、保持部２１の全体において、花びらの外側に向けて凸状に湾曲するように曲げられている。
【００４２】
花びら外側シート２０および花びら内側シート３０の積層体が曲げられることによって、面状発光部２６ｐ、面状発光部２６ｑおよび面状発光部２６ｒが、立体的に配置されている。面状発光部２６ｐ、面状発光部２６ｑおよび面状発光部２６ｒは、中心軸１０１を中心に環状に並んで立設されている。
【００４３】
がくシート５１ｐ、がくシート５１ｑおよびがくシート５１ｒは、光透過性を有する。がくシート５１ｐ、がくシート５１ｑおよびがくシート５１ｒは、中心軸１０１を中心に環状に並んで立設された保持部２１ｐ、保持部２１ｑおよび保持部２１ｒの外周上に設けられている。がくシート５１ｐは、保持部２１ｐおよび保持部２１ｑに重なり合うように設けられている。がくシート５１ｑは、保持部２１ｑおよび保持部２１ｒに重なり合うように設けられている。がくシート５１ｒは、保持部２１ｒおよび保持部２１ｐに重なり合うように設けられている。
【００４４】
花びら外側シート２０および花びら内側シート３０の積層体は、がくシート５１ｐ、がくシート５１ｑおよびがくシート５１ｒによって、３枚の花びらを形どった曲面立体形状に保持されている。
【００４５】
以上に説明した、この発明の実施の形態１における発光装置１０の構造についてまとめて説明すると、本実施の形態における発光装置１０は、発光する複数の面状発光部２６と、一体のシート材からなる可撓性の第１シート部材としての花びら外側シート２０とを備える。花びら外側シート２０は、複数の面状発光部２６をそれぞれ保持する複数の保持部２１と、複数の保持部２１の間を連結する連結部２２とを有する。花びら外側シート２０が曲げられることによって、複数の面状発光部２６が立体的に配置される。
【００４６】
このように構成された、この発明の実施の形態１における発光装置１０によれば、複数の面状発光部２６を一体に保持するための花びら外側シート２０を曲げることによって、複数の面状発光部２６を立体的に配置するため、チューリップの外観を模したチューリップ型の照明を簡易な構成により実現することができる。
【００４７】
なお、本実施の形態では、チューリップの外観を模したチューリップ型の照明について説明したが、チューリップ以外の各種の花の外観を模した照明を構成することが可能である。また、花に限られず、たとえば、立方体やピラミッド等の幾何学的立体形状を有する照明や、モニュメントの形状を模した照明を構成することも可能である。
【００４８】
（実施の形態２）
図８は、この発明の実施の形態２における発光装置の花びら部分を展開した状態を示す平面図である。図８は、実施の形態１における図４に対応する図である。本実施の形態における発光装置は、実施の形態１における発光装置１０と比較して、基本的には同様の構造を有する。以下、重複する構造については、その説明を繰り返さない。
【００４９】
図８を参照して、本実施の形態における発光装置においては、花びら内側シート３０が、封止部３１ｐ、封止部３１ｑおよび封止部３１ｒの３つの部分に分割されて構成されている。
【００５０】
封止部３１ｐ、封止部３１ｑおよび封止部３１ｒは、それぞれ、花びら外側シート２０の保持部２１ｐ、保持部２１ｑおよび保持部２１ｒに対応する形状を有する。保持部２１ｐに封止部３１ｐが重ね合わされることによって、面状発光部２６ｐが封止され、保持部２１ｑに封止部３１ｑが重ね合わされることによって、面状発光部２６ｑが封止され、保持部２１ｒに封止部３１ｒが重ね合わされることによって、面状発光部２６ｒが封止されている。
【００５１】
このように構成された、この発明の実施の形態２における発光装置によれば、実施の形態１に記載の効果を同様に奏することができる。
【００５２】
なお、花びら内側シート３０が一体のシート材から形成され、花びら外側シート２０が上記の分割構造を有してもよい。この場合、花びら内側シート３０が本発明における第１シート部材に対応する。
【００５３】
（実施の形態３）
図９は、この発明の実施の形態３における発光装置の花びら部分を示す縦断面図である。図９は、実施の形態１における図３に対応する図である。本実施の形態における発光装置は、実施の形態１における発光装置１０と比較して、基本的には同様の構造を有する。以下、重複する構造については、その説明を繰り返さない。
【００５４】
図９を参照して、本実施の形態における発光装置においては、電源部１６が、中心軸１０１を中心に環状に並んで立設された保持部２１ｐ、保持部２１ｑおよび保持部２１ｒの中心に設けられている。電源部１６は、花びら内側シート３０を介して花びら外側シート２０の連結部２２上に載置されている。
【００５５】
電極部６３および電極部６２は、各面状発光部２６において、保持部２１ｐ、保持部２１ｑおよび保持部２１ｒの中心側に設けられている。電極部６３および電極部６２は、各面状発光部２６において、電源部１６の外周上に位置する面状発光部２６の端辺に設けられている。
【００５６】
花びら内側シート３０には、貫通孔３５が形成されている。貫通孔３５は、中心軸１０１に重なる位置に形成されている。各面状発光部２６の電極部６３および電極部６２から中心軸１０１に向けて引き出された配線（不図示）は、貫通孔３５を通って、電源部１６に接続されている。本実施の形態では、電極部６３，６２が、電源部１６が位置する保持部２１ｐ、保持部２１ｑおよび保持部２１ｒの中心側に設けられるため、配線長さを短くすることができる。
【００５７】
このように構成された、この発明の実施の形態３における発光装置によれば、実施の形態１に記載の効果を同様に奏することができる。加えて、電源部１６を環状に並んで立設された保持部２１ｐ、保持部２１ｑおよび保持部２１ｒの内側に隠すことにより、簡易な構成で発光装置の外観を良好にできる。
【００５８】
（実施の形態４）
図１０は、この発明の実施の形態４における発光装置の保持部を展開した状態を示す平面図である。本実施の形態における発光装置は、実施の形態１における発光装置１０と比較して、基本的には同様の構造を有する。以下、重複する構造については、その説明を繰り返さない。
【００５９】
図１０を参照して、本実施の形態における発光装置においては、保持部２１ｐ、保持部２１ｑおよび保持部２１ｒが、中心軸１０１を中心に円弧状に並んでいる。
【００６０】
このように複数の保持部２１は、平面状に展開された状態において、中心軸１０１を中心に３６０°の全範囲に配置される構成だけでなく、３６０°の一部範囲に配置される構成を有してもよい。また、複数の保持部２１は、周方向に並ぶ構成に限られず、たとえば、直線状に並ぶ構成や千鳥状に並ぶ構成を有してもよい。
【００６１】
このように構成された、この発明の実施の形態４における発光装置によれば、実施の形態１に記載の効果を同様に奏することができる。
【００６２】
この発明の一側面に従う発光装置は、発光する複数の面状発光部と、一体のシート材からなる可撓性の第１シート部材とを備える。第１シート部材は、複数の面状発光部をそれぞれ保持する複数の保持部と、複数の保持部の間を連結する連結部とを有する。第１シート部材が曲げられることによって、複数の面状発光部が立体的に配置される。
【００６３】
このように構成された発光装置によれば、複数の面状発光部を一体に保持するための可撓性の第１シート部材を曲げることによって、複数の面状発光部を立体的に配置する。このため、複数の面状発光部が立体的に配置された発光装置を、簡易な構成により実現することができる。
【００６４】
また好ましくは、発光装置は、面状発光部に対して第１シート部材の反対側に配置され、第１シート部材とともに面状発光部を封止する可撓性の第２シート部材をさらに備える。
【００６５】
このように構成された発光装置によれば、面状発光部を外部環境から保護することができる。
【００６６】
また好ましくは、面状発光部は、可撓性を有する。このように構成された発光装置によれば、よりフレキシブルな形状を備えた発光装置を実現することができる。
【００６７】
また好ましくは、保持部は、花びら形状を有する。複数の保持部が環状に並んで立設されることにより、花型の照明を構成する。
【００６８】
このように構成された発光装置によれば、花びら形状を有する保持部が環状に並んで立設されるように、第１シート部材を曲げることによって、発光装置を花型の照明として構成することができる。
【００６９】
また好ましくは、発光装置は、環状に並べられた複数の保持部の外周上に設けられ、がく形状を有する第３シート部材をさらに備える。第３シート部材によって、第１シート部材が折り曲げられた形状に保持される。
【００７０】
このように構成された発光装置によれば、がく形状を有する第３シート部材により第１シート部材が曲げられた形状に保持されるため、発光装置をさらに簡易な構成とできる。
【００７１】
また好ましくは、発光装置は、複数の面状発光部に電力を供給する電源部をさらに備える。複数の保持部は、環状に並んで立設される。電源部は、複数の保持部の中心に設けられる。
【００７２】
このように構成された発光装置によれば、電源部が複数の保持部により囲まれるため、発光装置を良好な外観とできる。
【００７３】
また好ましくは、面状発光部は、複数の保持部の中心側に位置して電極部を有する。発光装置は、電源部および電極部の間を接続する配線をさらに備える。
【００７４】
このように構成された発光装置によれば、電源部および電極部の間を距離を短縮化することにより、両者の間を接続する配線長さを短くできる。
【００７５】
また好ましくは、第１シート部材を平面状に展開した場合に、複数の保持部は、環状または円弧状に並ぶ。
【００７６】
このように構成された発光装置によれば、複数の保持部が環状または円弧状に並ぶ第１シート部材を曲げることによって、複数の面状発光部が立体的に配置された発光装置を実現することができる。
【００７７】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【００７８】
この発明は、主に、照明装置に利用される。
【符号の説明】
【００７９】
１０  発光装置、１２  茎パイプ、１４  基台、１６  電源部、２０  花びら外側シート、２１，２１ｐ，２１ｑ，２１ｒ  保持部、２２  連結部、２３，３５  貫通孔、２６，２６ｐ，２６ｑ，２６ｒ  面状発光部、３０  花びら内側シート、３１ｐ，３１ｑ，３１ｒ  封止部、３３  開口部、３４  蓋部材、４１  配線、５１ｐ，５１ｑ，５１ｒ  がくシート、６２，６３  電極部、６４  陰極、６５  陽極、６６  絶縁層、７１  封止部材、７２  透明基板、７３  有機層、１０１  中心軸。
【図１】
2016042982.tif 000003
【図２】
2016042982.tif 000004
【図３】
2016042982.tif 000005
【図４】
2016042982.tif 000006
【図５】
2016042982.tif 000007
【図６】
2016042982.tif 000008
【図７】
2016042982.tif 000009
【図８】
2016042982.tif 000010
【図９】
2016042982.tif 000011
【図１０】
2016042982.tif 000012
【国際調査報告】
2016042982.tif 000013
2016042982.tif 000014
2016042982.tif 000015
2016042982.tif 000016